(57)【要約】【課題】            簡易な売買補助端末および売買補助方法を提供する。【解決手段】        入力部１１は、買希望情報または売希望情報として売買対象物品および希望価格を入力する。送受信部１３は入力された買希望情報または売希望情報をアンテナ１２によって所定の周波数で送信または受信する。売買情報記憶部１４は、入力された買希望情報または売希望情報を記憶する。情報比較部１５は、受信された売希望情報と記憶している買希望情報、または受信された買希望情報と記憶している売希望情報を比較する。表示部１６は、入力された売買希望情報を確認するために表示し、また比較により売買条件が一致すると所定の信号を受信距離に応じて強弱表示する。出力部１７は売買対象物品と当該端末を携帯する売買希望者に売買条件の一致を通知する。【選択図】          図２
2005182109.tif 000002
【特許請求の範囲】
【請求項１】
買希望情報または売希望情報として売買対象物品および希望価格を入力する入力部と、
前記入力された買希望情報または売希望情報をアンテナによって所定の周波数で送信または受信する送受信部と、
前記入力された買希望情報または売希望情報を記憶する売買情報記憶部と、
前記受信された売希望情報と前記記憶している買希望情報、または前記受信された買希望情報と前記記憶している売希望情報を比較する情報比較部と、
前記入力された売買希望情報を確認するために表示し、また前記比較により売買条件が一致すると所定の信号を受信距離に応じて強弱表示する表示部と、
前記売買対象物品と当該端末を携帯する売買希望者に前記売買条件の一致を通知する出力部とを有することを特徴とする売買補助端末。
【請求項２】
近距離に位置する売買希望者の間で携帯している売買対象物品を使用して売買するための端末を介した売買補助方法であって、
買希望情報または売希望情報として売買対象物品および希望価格を入力する手順と、
前記入力された買希望情報または売希望情報をアンテナによって所定の周波数で送信または受信する送受信部と、
前記入力された買希望情報または売希望情報を記憶する手順と、
前記受信された売希望情報と前記記憶している買希望情報、または前記受信された買希望情報と前記記憶している売希望情報を比較する手順と、
前記入力された売買希望情報を確認するために表示し、また前記比較により売買条件が一致すると所定の信号を受信距離に応じて強弱表示する手順と、
前記売買対象物品と当該端末を携帯する売買希望者に前記売買条件の一致を通知する手順とを有することを特徴とする売買補助方法。
【発明の詳細な説明】
【技術分野】
【０００１】
本発明は、売買補助、特に、ブック類，チケット，新聞等のように流用可能かつ携帯可能な物品を近距離に位置する者同士の間で売買するための売買補助に関する。
【背景技術】
【０００２】
読み終えた週刊誌や漫画や新聞が電車内や駅構内に捨てられていることがよく見受けられる。これらの週刊誌や漫画や新聞は、ほとんどが１回きりの読み捨てであることから新品に近い状態であるにも関わらず回収されていくようである。その一方で、同じ週刊誌や漫画や新聞を駅売店等で買い求める人が多いし、中には、捨てられているのを拾う人もいる。
【０００３】
このような場合、捨てる人と買ったり拾ったり人との間で「商談」が成立すれば両者共に、幾分か得をすることになろう。しかし、捨てようとしている人と、買い／拾おうとしている人を判断するのは容易でなく、また見ず知らずの者の間で気軽に声をかけることにも抵抗があろう。
【０００４】
ニーズの合致するユーザー同士が、実際に出会って交渉できる機会を増やすための情報仲介システムが知られている（例えば、特許文献１参照）。この位置情報を使用した情報仲介システムは、ユーザーが携帯端末を使い自分のニーズ情報や個人情報などを入力し、サーバーにおいてユーザー同士のニーズ情報および個人情報がマッチングするかどうかを判定する判断をし、ユーザー同士が携帯端末の現在の位置情報をＧＰＳまたはＰＨＳ等により取得し、設定範囲内に接近したかどうかを判定し、ユーザー同士に互いのニーズ情報や個人情報や位置情報を送信するというものである。
【０００５】
また、互いに携帯端末を携帯する利用者同士が近距離の無線通信圏内に入ると、希望するプロフィールを備えた人物が近くにいることを利用者に通知することが可能な情報交換仲介システムも公知である（例えば、特許文献２参照）。
【０００６】
【特許文献１】特開２００２−１５００３７（第１頁ー第３頁、図１）
【特許文献２】特開２００２−１６５００９（第１頁ー第２頁、図１）
【発明の開示】
【発明が解決しようとする課題】
【０００７】
しかしながら、上述した特許文献１に記載の技術では、サーバーにおいてユーザー同士のニーズ情報および個人情報がマッチングするかどうかを判定しているが、サーバーは、携帯端末との接続処理を行うための通信部，ユーザー情報記録部，地図情報記録部を備えており、前述の週刊誌や漫画や新聞等の「商談」のためには、いかにも大袈裟であり不適当である。また、特許文献２に記載の技術においても、サーバと会員データベースを備えており同様である。
【０００８】
そこで、本発明の目的は、声をかけ合うことにより成立するような「商談」のための簡易な売買補助端末および売買補助方法を提供することにある。
【課題を解決するための手段】
【０００９】
請求項１記載の発明は、買希望情報または売希望情報として売買対象物品および希望価格を入力する入力部（図２の１１）と、入力された買希望情報または売希望情報をアンテナ（図２の１２）によって所定の周波数で送信または受信する送受信部（図２の１３）と、入力された買希望情報または売希望情報を記憶する売買情報記憶部（図２の１４）と、受信された売希望情報と前記記憶している買希望情報、または受信された買希望情報と記憶している売希望情報を比較する情報比較部（図２の１５）と、入力された売買希望情報を確認するために表示し、また比較により売買条件が一致すると所定の信号を受信距離に応じて強弱表示する表示部（図２の１６）と、売買対象物品と当該端末を携帯する売買希望者に売買条件の一致を通知する出力部（図２の１７）とを有することを特徴とする売買補助端末である。
【００１０】
請求項２記載の発明は、近距離に位置する売買希望者の間で携帯している売買対象物品を使用して売買するための端末を介した売買補助方法であって、買希望情報または売希望情報として売買対象物品および希望価格を入力する手順と、入力された買希望情報または売希望情報をアンテナによって所定の周波数で送信または受信する送受信部と、入力された買希望情報または売希望情報を記憶する手順と、受信された売希望情報と記憶している買希望情報、または受信された買希望情報と前記記憶している売希望情報を比較する手順と、入力された売買希望情報を確認するために表示し、また比較により売買条件が一致すると所定の信号を受信距離に応じて強弱表示する手順と、売買対象物品と当該端末を携帯する売買希望者に前記売買条件の一致を通知する手順とを有することを特徴とする売買補助方法である。
【発明の効果】
【００１１】
本発明によれば、見ず知らずの者の間で容易に売買を仲介できる簡易な売買補助端末を提供することができるという効果がある。
【発明を実施するための最良の形態】
【００１２】
本発明の売買補助端末は、買希望情報または売希望情報として売買対象物品および希望価格を入力する入力部と、入力された買希望情報または売希望情報をアンテナによって所定の周波数で送信または受信する送受信部と、入力された買希望情報または売希望情報を記憶する売買情報記憶部と、受信された売希望情報と記憶している買希望情報、または受信された買希望情報と記憶している売希望情報を比較する情報比較部と、入力された売買希望情報を確認するために表示し、また比較により売買条件が一致すると所定の信号を受信距離に応じて強弱表示する表示部と、売買対象物品と当該端末を携帯する売買希望者に売買条件の一致を通知する出力部とを有する。
【実施例１】
【００１３】
次に、本発明の実施例について図面を参照して説明する。
【００１４】
図１は、本発明の売買補助端末を使用した売買補助システムのイメージ図である。図１において、Ａ氏はこれから週刊誌αを読みたいと思っており、Ｂ氏は週刊誌αを読み終えている。図１では、Ａ氏とＢ氏の２人しか図示していないが、本売買補助システムは複数の売り手と買い手を予定している。Ａ氏とＢ氏は、それぞれ端末１，２を携帯している。端末１，２は、携帯電話であれば充分であるが、後述のように、より簡易な端末で足りる。
【００１５】
このようなとき、Ａ氏は、これまでのように駅の売店やコンビニエンスストアで週刊誌αを買い求めることなく携帯するＡ氏端末１に週刊誌αの買希望情報を入力する（１）。買希望情報は、週刊誌αを特定するための週刊誌名および発行月日，希望買価格等から成る。Ａ氏端末１は、入力された買希望情報を電波や赤外線により所定の周波数で出力する（２）とともに内部に記憶する。この周波数（ｆaとする）は買指定を表わすものとする。
【００１６】
一方、Ｂ氏は、これまでのように週刊誌αを捨てることなく、携帯するＢ氏端末２に週刊誌αの売希望を入力する（３）。売希望情報は、週刊誌αを特定するための週刊誌名および発行月日，希望売価格等から成る。Ｂ氏端末２は入力された売希望情報を電波や赤外線により所定の周波数で出力する（４）とともに内部に記憶する。この周波数（ｆbとする）は売指定を表わすものとする。
【００１７】
Ａ氏端末１とＢ氏端末２から放射される電波や赤外線の及ぶ範囲は近距離とする。Ａ氏とＢ氏が所定の距離内に接近すると、Ａ氏端末１は周波数ｆbの売希望情報を受信し、Ｂ氏端末２は周波数ｆaの買希望情報を受信する。Ａ氏端末１は、受信した売希望情報と保存している買希望情報と比較し、売希望情報が買希望情報に沿っているなら、Ｂ氏の存在をＡ氏に通知する（５）。また、Ｂ氏端末１は、受信した買希望情報と保存している売希望情報と比較し、売希望情報が買希望情報に沿っているなら、Ａ氏の存在をＢ氏に通知する（６）。
【００１８】
売希望情報と買希望情報は、完全一致による比較でもよいし幅を持たせてもよい。このような意味での売買条件が一致すれば、Ａ氏端末１とＢ氏端末２は予め定められた信号を送信する（７）。Ａ氏端末１とＢ氏端末２は、この信号を受信すると、位置する距離に応じた強弱の信号を表示する。Ａ氏とＢ氏は、これにより引き寄せられ、端末１，２をかざして歩み寄ることにより引き合わされる。
【００１９】
Ａ氏とＢ氏が対面すると、Ｂ氏は週刊誌αを提示し、Ａ氏が納得すれば、ここに「商談」が成立する。Ｂ氏はＡ氏に週刊誌αを交付し（８）、Ａ氏は引き換えに代金を支払う（９）。
【００２０】
このように、サーバやデータベースといった大袈裟な装置を必要とせず、売買当事者の携帯端末のみを使用することにより売買を実行できるのである。
【００２１】
上記の実施例では、売買対象物品として週刊誌をとりあげたが、これに限らず、単行本やＣＤや各種（コンサート，スポーツ観戦，イベント等）のチケットであってもよい。しかし、出会ったその場で交付する必要があるので、携帯可能な物に限られる。売買当事者は、売買対象物品の属性により、出向く場所を定めるのが「商談」成立のためには効率的である。週刊誌や漫画であれば電車内や駅構内、イベントのチケットであればイベント会場付近であろう。
【００２２】
図２は、端末１，２の詳細図である。図２を参照すると、この端末は入力部１１，アンテナ１２，送受信部１３，売買情報記憶部１４，情報比較部１５，表示部１６および出力部１７で構成される。
【００２３】
入力部１１は、売買希望情報として売買の別と売買対象物品と価格を指定する、例えば押しボタン等であればよい。売買対象物品の種類は、特定の買い手または売り手にとっては限られると思われるので、コード化しても不便はなかろう。コードと物品名の対照表をラベルに記入して端末１，２の裏面に貼り付けておくのもよい。
【００２４】
送受信部１３は売買希望情報をアンテナ１２によって電波や赤外線で所定の周波数で送信または受信する。この通信にはブルートゥース（Bluetooth）を使用してもよい。売り手と買い手の短距離に位置することを予定しているので、電波や赤外線の出力は弱くてよい。
【００２５】
売買情報記憶部１４は、入力部１１から入力された売買希望情報を記憶する。売買情報記憶部１４は少ない桁数のレジスタで足りる。
【００２６】
情報比較部１５は、送受信部１３が受信した売希望情報と売買情報記憶部１４に記憶している買希望情報、または送受信部１３が受信した買希望情報と売買情報記憶部１４に記憶している売希望情報を比較する。その結果、売買条件が一致すると表示部１６および出力部１７へ信号を出力する。
【００２７】
表示部１６は、入力部１１により入力された売買希望情報を確認するために表示するディスプレイである。売買対象物品が週刊誌であれば、売買希望情報は週刊誌名と発行月日と希望価格ぐらいであり、また前述の列挙した売買対象物品であっても大同小異であるので小規模な液晶ディスプレイで足りる。また、表示部１６は、売買条件一致の場合に、所定の信号を距離に応じて信号を強弱表示する。
【００２８】
出力部１７は、情報比較部１５から上記の信号を受けると、音またはバイブレート機能により、売買条件の旨を売い手または売り手に通知する。売い手または売り手は、所定の信号を表示している各自の端末１，２をかざして歩み寄ることにより引き合わされる。
【産業上の利用可能性】
【００２９】
本発明は、図２に示したような売買補助端末が普及すれば、その製造販売により産業上の利用可能性がある。
【図面の簡単な説明】
【００３０】
【図１】本発明の売買補助端末を使用した売買補助システムのイメージ図
【図２】本発明の売買補助端末を示すブロック図
【符号の説明】
【００３１】
１        Ａ氏端末
２        Ｂ氏端末
１１      入力部
１２      アンテナ
１３      送受信部
１４      売買情報記憶部
１５      情報比較部
１６      表示部
１７      出力部
【図１】
2005182109.tif 000003
【図２】
2005182109.tif 000004